(57)【特許請求の範囲】
【請求項１】
給水源から供給される温水または水である湯水を噴出するノズルと、
室内に空気を吹き出す吹出部と、
空気を通過させる開口部が形成された湾曲形状からなる本体と前記本体の前記開口部に形成された複数の羽板とを有し、前記吹出部に回動可能に設けられ、前記吹出部から吹き出される前記空気の流れる方向を制御する風向切換部と、
前記風向切換部に設けられ、前記ノズルの先端部を収容するノズル収容部とを備え、
前記ノズルおよび前記風向切換部のそれぞれは前記吹出部に設けられ、
前記ノズルから前記室内に噴出される前記湯水の噴出方向は、前記風向切換部と連動して制御される
ことを特徴とする湯水噴出空調システム。
【請求項２】
前記ノズルは前記吹出部に回動可能に取り付けられ、
前記ノズルおよび前記風向切換部の少なくとも一方を駆動させる駆動手段と、
前記ノズルと前記風向切換部とを連結する連結手段とをさらに備え、
前記ノズルおよび前記風向切換部は、前記連結手段を介して一体化されて構成され、
前記駆動手段は、前記ノズルおよび前記風向切換部の少なくとも一方を回動させることで、前記ノズルおよび前記風向切換部を連動させて回動させる
ことを特徴とする請求項１に記載の湯水噴出空調システム。
【請求項３】
前記ノズルを回動可能に駆動させる第１の駆動手段と、
前記風向切換部を回動可能に駆動させる第２の駆動手段とをさらに備え、
前記第１および第２の駆動手段の少なくとも一方は、
前記ノズルおよび前記風向切換部の少なくとも一方を回動させることで、前記ノズルおよび前記風向切換部のそれぞれを独立して回動させる
ことを特徴とする請求項１に記載の湯水噴出空調システム。
【請求項４】
前記ノズル収容部は、前記風向切換部の湾曲面に沿うように設けられた孔であり、
前記ノズルは、先端部が室側に露出するように前記孔に設けられ、前記孔に沿って回動する
ことを特徴とする請求項３に記載の湯水噴出空調システム。
【発明の詳細な説明】
【技術分野】
【０００１】
本発明は、温水または水である湯水を噴出して、浴室やシャワー室等の室内の加湿暖房を行う湯水噴出空調システムに関する。
【背景技術】
【０００２】
従来より、温水をミストとして浴室内へ噴出する湯水噴出装置と、浴室内の暖房を行う空調装置とを備えたミストサウナ装置等と称される装置が提案されている。一般的なミストサウナ装置では、ミストを噴霧するノズルはノズルユニット本体に固定されて取り付けられる。そのため、ミストの噴霧方向を変える場合には、空調装置に設けられたルーバの方向を調節して温風の風向きを変えることにより、ミストの噴霧方向を調節している。
【０００３】
しかし、この従来のミストサウナ装置では、ミストの噴出方向が、湯水噴出装置と一定の距離を隔てた位置に設置された空調装置からの温風によって間接的に調節されることになるので、ミストの噴霧方向を正確に制御できなかった。そのため、浴室内におけるミストを噴出したい（浴びる）領域とミストを噴出したくない（浴びない）領域とを正確に切り換えられないという問題がある。
【０００４】
そこで、ミストの噴霧方向を正確に制御するようにした湯水噴出装置が提案されている（特許文献１参照）。この湯水噴出装置は、装置本体部の本体ケーシング内に設けられた温風手段と、装置本体部の側面部に設けられた噴出手段とを備えており、噴出手段の周辺に温風手段を配設することで、通風手段から吹き出される温風により、湯水噴出手段から噴出されるミストの通風方向を一定の方向に調整するものである。
【０００５】
【特許文献１】特開２００２−３３６１５５号公報
【発明の開示】
【発明が解決しようとする課題】
【０００６】
しかしながら、上記特許文献１に記載される湯水噴出装置では、温風手段は、噴出手段の周辺に配設されているものの、装置本体部の本体ケーシングの内部と外部とで一定の距離を有して配設されており、正確にミストの噴出方向を制御することができないという問題がある。すなわち、温風手段から吹き出される温風と当たる（接触する）まで一定の距離があるため、噴出手段から噴出されるミストが温風に当たるまでの間に飛散してしまい、浴室内の噴出したくない領域に噴霧されてしまう場合がある。
【０００７】
また、温風手段と噴出手段とは離間した位置にそれぞれ独立に設置されるため、湯水噴出装置内部にそれぞれを設置するためのスペースを確保しなければならず、湯水噴出装置全体の小型化を図ることができないという問題がある。
【０００８】
本願発明は、上記課題に鑑みてなされたものであり、その目的は、湯水の噴出方向を正確に制御すると共に、装置全体の小型化を図った湯水噴出空調システムを提供することにある。
【課題を解決するための手段】
【０００９】
本願発明に係る湯水噴出空調システムは、上記課題を解決するために、給水源から供給される温水または水である湯水を噴出するノズルと、室内に空気を吹き出す吹出部と、空気を通過させる開口部が形成された湾曲形状からなる本体と前記本体の前記開口部に形成された複数の羽板とを有し、前記吹出部に回動可能に設けられ、前記吹出部から吹き出される前記空気の流れる方向を制御する風向切換部と、前記風向切換部に設けられ、前記ノズルの先端部を収容するノズル収容部とを備え、前記ノズルおよび前記風向切換部のそれぞれは前記吹出部に設けられ、前記ノズルから前記室内に噴出される前記湯水の噴出方向は、前記風向切換部と連動して制御されることを特徴とするものである。
【００１０】
また、湯水噴出空調システムは、同一の吹出部から、ノズルからの湯水を室内に噴出すると共に風向切換部からの空気（温風）を室内に吹き出すものである。
【００１１】
本願発明では、ノズルおよび風向切換部のそれぞれは吹出部に設けられるため、湯水が飛散等する前の段階において風向切換部からの空気に当たることになるので、ノズルから噴出される湯水は風向切換部から吹き出される空気の流れに乗って、空気の流れ方向と同一方向に誘導される。なお、本願発明において湯水とはお湯または水を含むものである。
【００１２】
また本願発明の湯水噴出空調システムは、前記ノズルおよび前記風向切換部の少なくとも一方を回動可能に駆動させる駆動手段と、前記ノズルと前記風向切換部とを連結する連結手段とをさらに備え、前記ノズルおよび前記風向切換部は、前記連結手段を介して一体化されて構成され、前記駆動手段は、前記ノズルおよび前記風向切換部の少なくとも一方を回動させることで、前記ノズルおよび前記風向切換部を連動させて回動させることを特徴とするものである。
【００１３】
ノズルと風向切換部とを連結手段を介して一体化して構成するため、常に、湯水の噴出方向と風向切換部から吹き出す空気の風向とを同一とすることができる。また、ノズルおよび風向切換部の一方を駆動させることにより、ノズルの噴出方向と風向切換部の吹き出し方向との双方を制御できる。
【００１４】
また本願発明の湯水噴出空調システムは、前記ノズルを回動可能に駆動させる第１の駆動手段と、前記風向切換部を回動可能に駆動させる第２の駆動手段とをさらに備え、前記第１および第２の駆動手段の少なくとも一方は、前記ノズルおよび前記風向切換部の少なくとも一方を回動させることで、前記ノズルおよび前記風向切換部のそれぞれを独立して回動させることも好ましい。
【００１５】
このように、風向切換部とノズルを独立に回動させた場合でも、ノズルの噴出方向と、風向切換部の吹き出し方向とを同一方向とすることで、ノズルから噴出される湯水の噴出方向を制御できる。
【発明の効果】
【００１６】
本願発明によれば、ノズルおよび風向切換部を吹出部にそれぞれ設けるため、ノズルから噴出される湯水の流れ方向を正確に制御することができ、湯水の噴出領域と非噴出領域とを明確に切り換えることができる。
【００１７】
また、本願発明によれば、ノズルおよび風向切換部を連結手段を介して一体的に構成するため、ノズルおよび風向切換部を別々に設置する場合と比較して省スペース化を図ることができ、湯水噴出空調装置全体の小型化を図ることができる。
【発明を実施するための最良の形態】
【００１８】
［第１の実施の形態］
以下、本発明の実施形態につき、図面を参照して説明する。
【００１９】
＜湯水噴出空調システム＞
図１（Ａ）は本発明の一実施形態に係る湯水噴出空調システム１Ａの構成を示す図であり、図１（Ｂ）はその変形例を示す。この湯水噴出空調システム１Ａは、図１（Ａ）に示すように、霧状にした温水（ミスト）を温風に乗せて噴霧するミストサウナ装置７と、ミストサウナ装置７および浴室１０１等に温水を給湯する給湯装置４とを備えている。
【００２０】
ミストサウナ装置７は、浴室１０１内に噴出するミスト発生装置２と、浴室１０１の暖房、換気等を行う浴室空調装置（空調装置）３とを有する。ミスト発生装置２および浴室空調装置３はそれぞれ浴室１０１の天井に配設され、また給湯装置４は、屋外に配置されている。なお、ミスト発生装置２と浴室空調装置３とは、図１（Ｂ）に示すように、一体化した構成としても良く、浴室空調装置３内部にミスト発生装置２を内蔵させても良い。
【００２１】
ミスト発生装置２は、このミスト発生装置２で使用する温水として給湯装置４より排出される温水が利用される。またミスト発生装置２は、電磁弁ユニット２Ｂと、この電磁弁ユニット２Ｂを駆動する電源部ユニット２Ｃと、ミストを噴出するノズルを備えたノズルユニット２Ａとから構成される。電磁弁ユニット２Ｂは、浴室１０１の天井裏に設置される。
【００２２】
電磁弁ユニット２Ｂには、給湯装置４から排出される温水の供給を受けるための給水配管１５ａと、ノズルユニット２Ａに温水を供給するためのノズル配管１５ｂと、温水を排水するためのドレン配管１５ｃとが接続されている。
【００２３】
浴室空調装置３は、その熱源として当該浴室空調装置３に内蔵した電気ヒータが利用される。浴室空調装置３の側面部には排気ダクト９が連結され、屋外に貫通した排気ダクト９の先端部には排気グリル９ａが連結される。
【００２４】
ミスト発生装置２および浴室空調装置３は、ミスト操作部５あるいは主操作部６で操作により選択された運転モードに応じて、浴室空調装置３単独あるいはミスト発生装置２と浴室空調装置３を連動させた制御を行う。
【００２５】
主操作部６は、浴室空調装置３に内蔵された制御部８に電気ケーブル６ａで接続されたリモートコントロール装置である。この主操作部６は、洗面脱衣所１０５の壁に取り付けられている。ミスト操作部５は、電源部ユニット２Ｃに内蔵された制御部（図１には図示せず）に電気ケーブル５ａで接続されたリモートコントロール装置である。このミスト操作部５は、浴室１０１の壁に取り付けられている。
【００２６】
＜ミストサウナ装置＞
次に、ミストサウナ装置７の構成について説明する。図２は、ミストサウナ装置の構成を示す断面図である。図３（Ａ）はミストサウナ装置７の構成を示す側断面図であり、図３（Ｂ）はミストノズル１１とノズル駆動モータ１００との接続部を示す拡大図である。図４は、ミストサウナ装置の構成を示す分解斜視図である。
【００２７】
＜浴室空調装置＞
まず、ミストサウナ装置７を構成する浴室空調装置３について説明する。
浴室空調装置３は、図２に示すように、ファン部３２と、熱源としてのヒータ部３３とを備える。ファン部３２は、本体ケース３４に取り付けられている。ファン部３２は、回転駆動される多翼のファン３５と、このファン３５を回転駆動するファンモータ３６と、このファンモータ３６が取り付けられると共に、風路を形成するファンケース３７とを備えている。
【００２８】
ファン３５は縦向きに配置されている。ファンケース３７のファン３５の軸方向に沿った下面が開口し、吸込口（吸込部）３８とされている。また、ファンケース３７のファン３５の軸方向とは直交する方向に沿った一の側面が開口し、この開口部に風路切換部３９が備えられている。
【００２９】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口（吹出部）４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００３０】
ここで、図２において、ダンパ４０を全閉にしたときのダンパ４０の位置を循環位置Ａとする。ダンパ４０を全閉にすると、排気口４２への風路が遮断され、吸込口３８から吹出口４１へ連通した循環風路４３ａが形成される。
【００３１】
また、図２において、ダンパ４０を全開にしたときのダンパ４０の位置を換気位置Ｂとする。ダンパ４０を全開にすると、吹出口４１への風路が遮断され、吸込口３８から排気口４２へ連通した換気風路４３ｂが形成される。
【００３２】
さらに、図２においてダンパ４０を循環位置と換気位置の中間位置にしたときのダンパ４０の位置を循環換気位置Ｃとする。ダンパ４０を循環位置と換気位置の中間位置にすると、吸込口３８から吹出口４１へ連通した循環風路４３ａと、吸込口３８から排気口４２へ連通した換気風路４３ｂの双方が形成される。
【００３３】
ファンケース３７は、ヒータ部３３の上流側にイオン発生器４４を備える。これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を不活化して、カビの発生等を抑えることができる。
【００３４】
ヒータ部３３は、例えば電気ヒータで構成され、上述した吹出口４１に備えられる。ダンパ４０の位置を循環位置Ａにし、ファンモータ３６によりファン３５を回転駆動すると、空気が吸込口３８から吸い込まれ、循環風路４３ａを通り吹出口４１から吹き出す。ヒータ部３３に通電すると、ヒータ部３３が加熱することで吹出口４１を通る空気が温められ、温風が吹出口４１から吹き出す。ここで、ヒータ部３３としては例えばＰＴＣ(Positive Temperature Coefficient)ヒータを使用できる。
【００３５】
ファンケース３７の吸込口３８に対応した部分に、温度検出センサ６９が取り付けられている。この温度検出センサ６９は、浴室１０１の温度を検出するためのものである。
【００３６】
本体ケース３４は、図２に示すように、下面が開口し、ファン部３２の吸込口３８と吹出口４１が露出するようにされている。この本体ケース３４の下面開口部に、フロントパネル２６が取り付けられる。
【００３７】
フロントパネル２６は、本体ケース３４に着脱できるように構成されている。このフロントパネル２６は、ファン部３２の吸込口３８と対向した位置に吸込グリル４５を備えると共に、ファン部３２の吹出口４１および後述するノズルユニット２Ａと対向した位置に吹出グリル４６を備える。なお、フロントパネル２６の吸込グリル４５の裏側に、図示しないフィルタを交換可能に取り付けても良い。
【００３８】
＜ミスト発生装置＞
次に、ミスト発生装置２の構成について説明する。ミスト発生装置２は、上述したように、ノズルユニット２Ａと、電磁弁ユニット２Ｂと、電源部ユニット２Ｃとから構成される。
図５は、ノズルユニット２Ａの構成を示す図である。図６は、ノズルユニット２Ａの構成を示す分解斜視図である。
【００３９】
ノズルユニット２Ａは、図２〜図６に示すように、浴室空調装置３の内部の吹出口４１に回動可能に取り付けられており、ノズル配管１５ｂに連結された供給配管１２と、給湯装置４から電磁弁ユニット２Ｂを介して供給された湯水を霧状にして浴室１０１内に噴出するミストノズル１１と、ミストノズル１１から噴出されるミストやファン部３２から吹き出される温風等の風向きを調整するルーバ１０６とを有する。
【００４０】
浴室空調装置３の吹出口４１の上方側の両側壁部には軸受け部１１８が設けられており、水平方向に延びる供給配管１２の両端部がこれらの軸受け部１１８によって回動可能に軸支（係合）される。
【００４１】
ミストノズル１１は、ファンケース３７の下面に形成された吹出口４１に設けられ、供給配管１２の下部に固着されたノズル本体１１ａと、ノズル本体１１ａの先端部に設けられたノズル吹出部１１ｂとを有する。本例ではノズル本体１１ａは、略直方体状をなし、供給配管１２の長手方向に沿って３個のノズル本体１１ａが等間隔に取り付けられる。このように、ミストノズル１１は、供給配管１２を軸として本体ケース３４に回動可能に取り付けられる。
【００４２】
また、ミストノズル１１は、第１のギア１０２および第２のギア１０３を介してミストノズル１１を回動させるためのノズル駆動モータ１００を有する。ノズル駆動モータ１００は、駆動手段の一例であり、浴室空調装置３の軸受け部１１８の上方の側壁部に設けられたモータ収容部１０４内に設置される。第１のギア１０２は、図３（Ｂ）に示すように、略扇状をなし、ミストノズル１１および供給配管１２に固着されている。一方、第２のギア１０３は、平面視円形状をなし、ノズル駆動モータ１００の回動軸１００ａの先端部に第１のギア１０２と噛み合うようにして取り付けられる。これにより、ノズル駆動モータ１００を駆動させることで第１および第２のギア１０２，１０３を介してミストノズル１１が所定方向に回動するようになっている。
【００４３】
ルーバ１０６は、風向切換部の一例であり、ファンケース３７の下面に形成された吹出口４１に回動可能に取り付けられる。このルーバ１０６は、温風を浴室１０１内に通過させる開口部１１２が形成された弓なり状に湾曲したルーバ本体１１３と、この開口部１１２に格子状に形成された複数の羽板（整流板）１１４とを有する。本例では、羽板１１４によって区画された開口部が空気の通過する通過孔となる。
【００４４】
ルーバ本体１１３および羽板１１４には、ノズル吹出部１１ｂを収容するためのノズル収容部１０８が設けられる。ノズル収容部１０８は、浴室１０１側および浴室空調装置３側の両端側が開口された円筒形状であって、その開口形状は少なくともノズル吹出部１１ｂの外形よりも大きく選定されると共に、その内径はミストノズル１１のノズル本体１１ａの径と略同一となるように選定される。本例ではノズル収容部１０８は、ルーバ１０６の長手方向のそれぞれの両端部と中央部の３箇所に等間隔で設けられる。
【００４５】
またルーバ１０６は、ミストノズル１１の先端部を所定位置に固定するための一対の固定部材１１０を有する。一対の固定部材１１０は、連結手段の一例であって、ノズル収容部１０８の上端面から上方に延びる平板部材により構成され、ノズル収容部１０８の上端面の周方向の対向した位置にそれぞれ設けられる。一対の固定部材１１０の間隔は、ノズル本体１１ａの径と略同一に選定される。これにより、ミストノズル１１のノズル本体１１ａを一対の固定部材１１０間に装着させることで、ノズル本体１１ａの両側面が一対の固定部材１１０によって狭持された状態でルーバ１０６に固定される。つまり、ミストノズル１１は、弓なり状に湾曲したルーバ本体１１３の裏面側の空間部に取り付け、固定される。このように、本例では、ミストノズル１１とルーバ１０６とが固定部材１１０を介して一体的に構成され、ミストノズル１１を回動させたときに、これに連動してルーバ１０６も回動するようになっている。
【００４６】
次に、ノズルユニット２Ａの動作について説明する。図７（Ａ）および図７（Ｂ）はノズルユニット２Ａの動作を示す図である。
【００４７】
図７（Ａ）に示すように、ノズル駆動モータ１００の駆動により、第２のギア１０３が時計周りＡに回動すると、第１のギア１０２が反時計周りＢに回動する。一体形成されたミストノズル１１およびルーバ１０６は第１のギア１０２に固着されているため、第１のギア１０２の回動に伴って反時計周りＣに回動する。
【００４８】
一方、図７（Ｂ）に示すように、ノズル駆動モータ１００の駆動を反転させて、第２のギア１０３が反時計周りＤに回動させると、第１のギア１０２は時計周りＥに回動する。ミストノズル１１およびルーバ１０６も第１のギア１０２の回動に伴って時計周りＦに回動する。
【００４９】
このように、ミストノズル１１およびルーバ１０６を一体的に構成することで、ミストノズル１１およびルーバ１０６が一体で動作することになるため、ミストノズル１１からのミストМの噴出方向とルーバ１０６から吹き出される温風ＨＡの風向（羽板１１４の平面方向）とは常に同一方向となる。これにより、ミストＭを温風ＨＡの流れに乗せることができ、ミストＭの流れ方向を正確に制御できる。
【００５０】
次に、電磁弁ユニット２Ｂについて説明する。図８は、電磁弁ユニット２Ｂの構成を示す図である。
【００５１】
電磁弁ユニット２Ｂは、図８に示すように、給湯装置４（図１参照）から延びる給水配管１５ａが接続される給湯配管接続部１６ａと、ノズルユニット２Ａに延びるノズル配管１５ｂが接続される供給配管接続部１６ｂと、ドレン配管１５ｃが接続されるドレン配管接続部１６ｃを備える。
【００５２】
電磁弁ユニット２Ｂは、給湯配管接続部１６ａと供給配管接続部１６ｂとの間が供給配管１７で接続され、給湯装置４とノズルユニット２Ａとの間を接続している。また、電磁弁ユニット２Ｂは、供給配管１７から分岐した排水配管１８がドレン配管接続部１６ｃと接続され、給湯装置４とドレン配管１５ｃとの間を接続している。
【００５３】
電磁弁ユニット２Ｂは、排水配管１８との分岐部１７ａより上流側の供給配管１７に、給湯の有無を切り替える電磁弁１９ａを備えると共に、分岐部１７ａより下流側の供給配管１７に、温水または水の供給先をノズルユニット２Ａに切り替える電磁弁１９ｂを備える。
【００５４】
さらに、電磁弁ユニット２Ｂは、温水または水の供給先をドレン配管１５ｃに切り替える電磁弁１９ｃを、排水配管１８に備える。
【００５５】
また、電磁弁ユニット２Ｂは、電磁弁１９ａと分岐部１７ａとの間の供給配管１７に、供給配管１７を流れる温水または水の温度を検出する水温検出センサ２０を備える。
【００５６】
ここで、供給配管１７に設ける電磁弁１９ａおよび電磁弁１９ｂの設置高さより、排水配管１８に設ける電磁弁１９ｃの設置高さが低くなるように、供給配管１７と排水配管１８の流路を構成することで、流路中に残水が滞留しないようにしている。
【００５７】
図９および図１０は、電磁弁ユニット２Ｂの動作を示す図である。ミスト噴出時は、図９（Ａ）に示すように、電磁弁１９ａと電磁弁１９ｂは開き、電磁弁１９ｃは閉じる。これにより、図１に示す給湯装置４から供給された温水ＨＷが、供給配管１７を流れてノズルユニット２Ａに供給され、ノズルユニット２ＡでミストＭが噴出される。
【００５８】
排水時は、図９（Ｂ）に示すように、電磁弁１９ａと電磁弁１９ｃは開き、電磁弁１９ｂは閉じる。これにより、給湯装置４から供給された温水ＨＷが、供給配管１７および排水配管１８を流れてドレン配管１５ｃから排水（ＥＷ）される。
【００５９】
排水の停止時は、まず、図１０（Ａ）に示すように、電磁弁１９ｃは開けた状態で、電磁弁１９ａを閉じた後、電磁弁１９ｂを開ける。これにより、供給配管１７のノズルユニット２Ａと接続された側が大気に開放された状態となるので、供給配管１７内の残水ＲＷが排水配管１８へと流れてドレン配管１５ｃから排水される。
【００６０】
そして、残水ＲＷの排水に要する時間に応じて設定された所定時間経過後、図１０（Ｂ）に示すように、電磁弁１９ａ、電磁弁１９ｂおよび電磁弁１９ｃの全てを閉じることで、電磁弁１９ａより下流側の流路に残水を滞留させない状態とすることができる。
【００６１】
図１１はミスト操作部５の一例を示す構成図である。ミスト操作部５は、運転モードを選択する操作ボタンとして、ミストモードの運転および運転停止を選択するミスト運転選択ボタン７１を備える。また、暖房運転モードの開始および運転停止と、暖房の強弱を選択する暖房運転選択ボタン７２を備える。さらに、ミスト操作部５は、ミストモードの運転時に、ミストの噴出方向および温風の風向を調節するためのノズル／ルーバボタン７３を備える。
【００６２】
また、ミスト操作部５は、ミスト発生装置２および浴室空調装置３の運転状態と、浴室１０１内の状態等を入浴者等に報知する報知手段として、ミスト運転選択ボタン７１と対応させたミスト運転ランプ７５を備える。また、全ての制御を停止させる停止ボタン７４を備える。
【００６３】
また、暖房運転選択ボタン７２と対応させた暖房運転ランプ７６を備える。暖房運転ランプ７６は、選択できる暖房の強弱の度合に応じて、例えば、強暖房運転ランプ７６ａと、弱暖房運転ランプ７６ｂを備える。さらに、浴室空調システム１Ａの何れかで障害が生じた場合にこれを報知するエラーランプ７７を備える。
【００６４】
図１２は主操作部６の一例を示す構成図である。主操作部６は、運転モードを選択する操作ボタンとして、浴室空調装置３単体での暖房運転モードの開始および運転停止と、ミスト発生装置２を連動させたミストモードの運転および運転停止を選択する暖房運転選択ボタン８１を備える。また、換気運転モードの開始および運転停止を選択する換気運転選択ボタン８２と、乾燥運転モードの開始および運転停止を選択する乾燥運転選択ボタン８３と、涼風運転モードの開始および運転停止を選択する涼風運転選択ボタン８４を備える。さらに、所定の換気風量で常時換気を行う２４時間換気運転モードを選択する２４時間換気運転選択ボタン８５と、全ての制御を停止させる停止ボタン８６を備える。そして、上述した各モードの運転時に、温風等の風向を調節するためのノズル／ルーバボタン８７を備える。
【００６５】
また、主操作部６は、各操作ボタンで選択された運転モードおよび各運転モードで設定される風量、さらに、浴室１０１内の状態等を入浴者等に報知する報知手段として、暖房運転選択ボタン８１と対応させたミスト運転ランプ８１ａと、選択できる暖房の強弱の度合に応じて、例えば強暖房運転ランプ８１ｂと弱暖房運転ランプ８１ｃを備える。
【００６６】
また、換気運転選択ボタン８２と対応させた換気運転ランプ８２ａと、乾燥運転選択ボタン８３と対応させた乾燥運転ランプ８３ａと、涼風運転選択ボタン８４と対応させた涼風運転ランプ８４ａと、２４時間換気運転選択ボタン８５と対応させた２４時間換気運転ランプ８５ａと、イオン運転ランプ８８を備える。
【００６７】
なお、各運転モードで風量等が選択できる場合は、選択できる風量の強弱等に応じて、各操作ボタンに対応させて複数の運転ランプを備える。さらに、主操作部６は、現在時刻等が表示される表示部８９を備える。
【００６８】
なお、ミスト操作部５の暖房運転選択ボタン７２で選択できる暖房の強弱は、「強」、「弱」の２段階でなく、「強」、「中」、「弱」といった３段階でも良く、それ以上の段階であっても良い。
また、選択できる暖房の強弱に応じて、暖房運転ランプ７６として、例えば中暖房運転ランプを備えても良い。
同様に、主操作部６の暖房運転選択ボタン８１で選択できる暖房の強弱も、「強」、「中」、「弱」といった３段階でも良く、それ以上の段階であっても良い。また、選択できる暖房の強弱に応じて、暖房運転ランプとして、例えば中暖房運転ランプを備えても良い。
【００６９】
なお、暖房運転の強弱の切り替えは、例えばファン風量を切り替えることで行っているが、ファン風量の切り替えだけでなく、ヒータ部３３におけるヒータの発熱量およびヒータの通電時間や、ヒータ通電を入切する温度を変更するようにしたものであっても良い。
【００７０】
＜浴室空調装置およびミスト発生装置の制御系＞
図１３は、浴室空調装置３およびミスト発生装置２の制御系の構成を示している。
【００７１】
浴室空調装置３は、ＣＰＵ(Central Processing Unit)を有する制御部８を備えている。上述した主操作部６は、電気ケーブル６ａを介して、この浴室空調装置３の制御部８に接続されている。この制御部８には、上述したように、吸込口３８に対応して取り付けられた、浴室１０１内の温度を検出するための温度検出センサ６９が接続される。また、この制御部８には、浴室照明スイッチ６９Ｂから、このスイッチがオンされたか否かを示す信号が供給される。この制御部８から、ファンモータ３６、ダンパモータ４０ｃ、ヒータ部３３およびイオン発生器４４に、動作を制御するための制御信号が供給される。
【００７２】
また、電源部ユニット２Ｃは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、さらにはノズル駆動モータ１００を駆動するための直流電圧等を生成する。
【００７３】
電磁弁駆動部２Ｂｂは、制御部２Ｂｃによる制御の下、電源部２Ｂａで生成される２４Ｖの直流電圧を用いて、電磁弁ユニット２Ｂを構成する電磁弁１９ａ，１９ｂ，１９ｃを駆動する。この場合、電磁弁１９ａ，１９ｂ，１９ｃは、それぞれ、２４Ｖの直流電圧が印加されることで開状態とされる。
【００７４】
制御部２Ｂｃには、上述したように、電磁弁ユニット２Ｂに取り付けられた温度検出センサ２０が接続される。上述したミスト操作部５は、電気ケーブル５ａを介して、この電源部ユニット２Ｃの制御部２Ｂｃに接続されている。
【００７５】
また、制御部２Ｂｃにはミストノズル１１を回動駆動するためのノズル駆動モータ１００が接続される。ノズル駆動モータ１００は制御部２Ｂｃから供給される直流電圧（駆動信号）に基づいてミストノズル１１を所定方向に回動させてミストの噴霧方向および送風方向を制御する。
【００７６】
また、浴室空調装置３の制御部８と電源部ユニット２Ｃの制御部２Ｂｃとは互いに接続され、浴室空調装置３とミスト発生装置２との連係動作が可能となされている。なお、ノズル駆動モータ１００は、浴室空調装置３の制御部８により制御を行っても良い。
【００７７】
次に、湯水噴出空調システム１Ａの動作について説明する。
【００７８】
ユーザによってミスト操作部５のミスト運転選択ボタン７１が押されると、ミスト運転モードが開始される。ミスト運転モードでは、浴室空調装置３のヒータ部３３に通電され、このヒータ部３３が加熱される。また、浴室空調装置３のファンモータ３６に通電され、ファン３５が回転される。ファン３５の回転により、吸込口３８から吸い込まれた空気は、循環風路４３ａを通り、ヒータ部３３で暖められて、吹出口４１からフロントパネル２６の吹出グリル４６を介して浴室１０１内に吹き出される。
【００７９】
また、ミスト運転モードでは、電磁弁ユニット２Ｂの排水処理が所定時間行われる（図９および図１０参照）。排水処理の後、電磁弁ユニット２Ｂ内に配設された温度検出センサ２０の検出出力に基づいて、給水配管１５ａを介して電磁弁ユニット２Ｂに供給される温水の温度が所定値以上、例えば３５゜以上となったか否か判定され、温度が所定値以上となった後にミスト発生処理が行われる（図８参照）。このように、電磁弁ユニット２Ｂに供給される温水の温度が所定値以上となった後にミスト発生処理が行われるようにすることで、浴室１０１中に存在する人が、ミストによって肌寒さを感じないようにされる。
【００８０】
ミスト発生処理では、給湯装置４から給水配管１５ａに供給される温水が、電磁弁ユニット２Ｂを介して供給配管１２に供給される。これにより、供給配管１２からノズルユニット２Ａの各ミストノズル１１に温水が供給され、浴室１０１内にミストとして噴出される。
【００８１】
このとき、ユーザによってミスト操作部５のノズル／ルーバボタン７３または主操作部６のノズル／ルーバボタン８７が押されると、一体化されたミストノズル１１およびルーバ１０６は所定方向に回動する。ミストノズル１１およびルーバ１０６の傾きは、例えば、ノズル／ルーバボタン７３の押す時間に応じて自由に調節できる。ユーザによりノズル／ルーバボタン７３が押されてミストノズル１１およびルーバ１０６が浴槽１０１ａ側に向けられると、ミストＭは温風ＨＡに乗って浴槽１０１ａ側に噴出される。また、ノズル／ルーバボタン７３が押されてミストノズル１１およびルーバ１０６が洗い場１０１ｂ側に向けられると、ミストＭは洗い場１０１ｂ側に切り換えられて噴出される。このように、本実施の形態では、ミストノズル１１およびルーバ１０６を一体で同一方向に回動させることができるため、ミストＭの噴出する領域を正確に切り換えることができ、入浴者が直接ミストを浴びるようにしたり、浴びないようにしたりできる。
【００８２】
そして、ユーザによって、ミスト操作部５の停止ボタン７４または主操作部６の停止ボタン８６が押されると、ミスト運転モードが停止し、一連の動作が終了する。
【００８３】
また、湯水噴出空調システム１Ａは、さらに、浴室１０１から空気Ａを吸い込み、温風ＨＡあるいは送風として吹き出す暖房、涼風モードや浴室１０１から吸い込んだ空気Ａを屋外へ排気する排気モードを備えている。
【００８４】
以上説明したように、本実施の形態では、ミストサウナ装置７のミストノズル１１およびルーバ１０６が、浴室空調装置３の吹出口４１に一体化されて設けられ、同一の吹出口４１から同一方向に、ミストが噴出されると共にルーバ１０６からの温風ＨＡが吹き出される。そのため、ミストノズル１１から噴出されたミストＭは、飛散等する前段階においてルーバ１０６からの空気に当たることになるので、ルーバ１０６から吹き出される温風ＨＡの流れに乗って、ルーバ１０６により制御される温風ＨＡの風向と同一方向に誘導される。
【００８５】
従って、本実施の形態によれば、ミストノズル１１から噴出されるミストＭの流れ方向を正確に制御することができ、ミストＭの浴室１０１内における噴出領域と非噴出領域とを正確に切り換えることができる。
【００８６】
また、本実施の形態によれば、ミストノズル１１およびルーバ１０６を固定部材１１０を介して一体的に構成するため、ミストノズル１１およびルーバ１０６を省スペースで設置でき、ミストサウナ装置７全体の小型化を図ることができる。特に、本例では、湾曲したルーバ１０６の裏面側の空間部にミストノズル１１を取り付けるため、より省スペース化を図ることができる。
【００８７】
さらに、本実施の形態では、ミストノズル１１とルーバ１０６とを一体化することで、１個のノズル駆動モータ１００によってミストノズル１１およびルーバ１０６の双方を回動させることができ、それぞれに駆動源を設けた場合と比較して低コスト化を図ることができる。さらには、装置全体の部品数を削減することができ、構造の簡略化も図ることができる。
【００８８】
＜ミストノズル／ルーバの固着防止の動作例＞
長期間、ミスト運転を行わずにミストノズル１１を回動させていない場合に、ちりやほこりがミストノズル１１の回動軸等に付着したり、浴室１０１内には入浴により蒸気が充満するが、この蒸気には湯に溶けた入浴剤も含まれ、入浴剤を含む蒸気が浴室空調装置３に付着して乾燥すると、ちりやほこり、入浴剤などがミストノズル１１の回動軸１１８（図３参照）等で固着してしまい、ミストノズル１１が円滑に動作しないおそれがある。
【００８９】
そこで、本実施の形態では、上述した浴室空調装置３の内部に回動可能に取り付けられたミストノズル１１およびルーバ１０６（ノズルユニット２Ａ）を回動させることで、上述したミストノズル１１の回動部等での固着防止を図る。以下に、ミストノズル１１の固着を防止する浴室空調装置３の動作について説明する。
【００９０】
（定期的に固着防止運転する場合）
まず、毎日定期的な時刻にミストノズル１１／ルーバ１０６をスイング動作させる場合について説明する。図１４は、湯水噴出空調システム１Ａの動作例を示すフローチャートである。
【００９１】
まず、ステップＳ１０で、ユーザによってミストノズル１１／ルーバ１０６のスイング動作を開始させる時刻が主操作部６から入力されると、電源部ユニット２Ｃの制御部２Ｂｃは入力されたタイマー設定時刻を制御部２Ｂｃの内部に設けられたタイマーに設定（記憶）する（図１３参照）。タイマー設定時刻は、主操作部６のアップダウンキー９０によりユーザが任意に設定できる。本例では、タイマー設定時刻として、一般的なユーザの入浴時間帯を考慮し、例えば午前０時（ＡＭ１２：００）にミストノズル１１／ルーバ１０６がスイング動作するようにタイマー設定する。
【００９２】
ステップＳ２０で、電源部ユニット２Ｃの制御部２Ｂｃは、現在時刻を検出（監視）し、タイマー設定時刻になったか否かを判断する。本例では、時刻が午前０時になったか否かを判断する。時刻が午前０時になったと判断したときにはステップＳ３０に進む。一方、時刻が午前０時になっていないと判断したときには、再度現在時刻を検出する。
【００９３】
ステップＳ４０で、電源部ユニット２Ｃの制御部２Ｂｃは、湯水噴出空調システム１Ａの運転動作を検出し、ミスト、乾燥、涼風、暖房および換気の何れの運転も停止しているか否かを判断する。これらの運転中の場合には、ルーバ１０６が回動し、このルーバ１０６の回動に伴ってルーバ１０６と一体的に構成されたミストノズル１１も回動するため、改めてミストノズル１１をスイング運動させる必要がないためである。従って、２４時間換気運転の場合にはミストノズル１１は停止しているため除かれる。電源部ユニット２Ｃの制御部２Ｂｃは、ミスト運転等が停止されていると判断したときにはステップＳ５０に進む。一方、ミスト運転等が停止されていない（運転中）であると判断したときには、ミスト運転等が停止されるまで運転状態の監視を行う。つまり、ミスト運転の停止時刻がタイマー設定時刻を経過したとしても、ミスト運転等が停止した後にミストノズル１１／ルーバ１０６のスイング運動を行う。
【００９４】
ステップＳ５０で電源部ユニット２Ｃの制御部２Ｂｃは、ノズル駆動モータ１００に駆動信号（直流電圧）を供給してノズル駆動モータ１００を駆動させ、ミストノズル１１をスイング（回動）運転させる。これにより、ミストノズル１１のスイングと共にルーバ１０６も同一方向にスイングする。
【００９５】
ステップＳ６０で電源部ユニット２Ｃの制御部２Ｂｃは、ミストノズル１１のスイング時間が所定時間、例えば１０秒経過したか否かを判断する。所定時間経過したと判断したときにはステップＳ７０に進み、所定時間経過していないと判断したときにはステップＳ６０に戻り所定時間経過するまで待機する。
【００９６】
ステップＳ７０で電源部ユニット２Ｃの制御部２Ｂｃは、ノズル駆動モータ１００への駆動信号の供給を停止することで、ミストノズル１１／ルーバ１０６のスイングを停止させて、ミストノズル１１の固着防止の一連の動作が終了する。
【００９７】
（ミスト運転後に固着防止運転する場合）
次に、ミスト運転が一定時間行われてミスト運転が停止した後に、ミストノズル１１／ルーバ１０６をスイング動作させる場合について説明する。図１５は、湯水噴出空調システム１Ａの動作例を示すフローチャートである。
【００９８】
まず、ステップＳ１００で、ユーザによって、ミストノズル１１／ルーバ１０６のスイングを開始させる時間が主操作部６から入力されると、電源部ユニット２Ｃの制御部２Ｂｃは入力されたタイマー設定時刻を制御部２Ｂｃの内部に設けられたタイマーに設定（記憶）する（図１３参照）。タイマー設定時間は、主操作部６のアップダウンキー９０によりユーザが任意に設定できる。本例では、タイマー設定時間としては、例えば、ミスト運転の停止後、３時間経過した後にミストノズル１１のスイング運転が開始するように設定する。これは、ミスト運転停止直後にミストノズル１１をスイング運転させたのでは、入浴剤等がまだ濡れた状態で固着（乾燥）していないため、ミストノズル１１をスイングさせても顕著な効果を得ることができないからである。従って、ミスト運転を停止して、付着物がミストノズル１１の回動部等で乾燥して固着するまでの時間に設定することが好ましい。
【００９９】
ステップＳ１１０で電源部ユニット２Ｃの制御部２Ｂｃは、ミスト運転が停止したか否かを判断する。例えば、ミスト操作部５から、ユーザによりミスト運転選択ボタン７１が押されたときに生成される操作信号に基づいて判断する。ミスト運転が停止したと判断したときにはステップＳ１２０に進み、ミスト運転が停止したと判断されないときにはミスト運転の運転状態を監視する。
【０１００】
ステップＳ１２０で電源部ユニット２Ｃの制御部２Ｂｃは、タイマー設定時間、例えば３時間経過したか否かを判断する。所定時間経過したと判断したときにはステップＳ１３０に進み、所定時間経過していないと判断したときには所定時間経過するまで待機する。
【０１０１】
ステップＳ１３０で、電源部ユニット２Ｃの制御部２Ｂｃは、浴室空調装置３の運転動作を検出し、ミスト、乾燥、涼風、暖房および換気の何れの運転も停止しているか否かを判断する。ステップＳ１１０においてミスト運転が停止した直後であっても、ユーザによって再度ミスト運転等が選択される場合があるためである。なお、２４時間換気運転の場合については除かれる。電源部ユニット２Ｃの制御部２Ｂｃは、ミスト運転等が停止されていると判断したときにはステップＳ１４０に進む。一方、ミスト運転等が停止されていない（運転中）であると判断したときには、ミスト運転等が停止されるまで運転状態の監視を行う。
【０１０２】
ステップＳ１４０で電源部ユニット２Ｃの制御部２Ｂｃは、ノズル駆動モータ１００に駆動信号を供給してノズル駆動モータ１００を駆動させ、ミストノズル１１をスイング（回動）運転させる。これにより、ミストノズル１１のスイングと共にルーバ１０６も同一方向にスイングする。
【０１０３】
ステップＳ１５０で電源部ユニット２Ｃの制御部２Ｂｃは、ミストノズル１１のスイング時間が所定時間、例えば１０秒経過したか否かを判断する。所定時間経過したと判断したときにはステップＳ１６０に進み、所定時間経過していないと判断したときには所定時間経過するまで待機する。
【０１０４】
ステップＳ１６０で電源部ユニット２Ｃの制御部２Ｂｃは、ノズル駆動モータ１００への駆動信号の供給を停止することで、ミストノズル１１のスイングを停止させて、ノズル固着防止モードの一連の動作が終了する。
【０１０５】
（浴室乾燥運転後に固着防止運転する場合）
次に、ミスト運転→浴室洗浄運転→浴室乾燥運転の順番で運転を行い、浴室乾燥運転終了後に、ミストノズル１１／ルーバ１０６をスイングさせる場合について説明する。図１６は、湯水噴出空調システム１Ａの動作例を示すフローチャートである。
【０１０６】
まず、ステップＳ２００で、ユーザによって、ミストノズル１１のスイングを開始させる時間が主操作部６から入力されると、電源部ユニット２Ｃの制御部２Ｂｃはその内部にタイマーに入力されたタイマー設定時間を設定（記憶）する（図１３参照）。タイマー設定時間は、主操作部６のアップダウンキー９０によりユーザが任意に設定できる。本例では、浴室乾燥後に固着防止運転が行われるため、ミストノズル１１等に付着した付着物は乾燥運転により既に固着しているので、タイマー設定時間としては例えば１０秒に設定する。
【０１０７】
ステップＳ２０５では、ユーザにより、ミスト操作部５のミスト運転選択ボタン７１が押されると、所定時間ミスト運転を行い停止された後、制御部８が例えば浴室照明スイッチ６９Ｂがオフになったことを検出すると、浴室洗浄運転を行う。そして、浴室洗浄運転で例えば銀イオンなどの噴霧が所定時間行われた後、浴室乾燥運転が行われる。
【０１０８】
ステップＳ２１０で、電源部ユニット２Ｃの制御部２Ｂｃは、浴室乾燥運転が停止したか否かを判断する。浴室乾燥運転が停止したと判断したときにはステップＳ２２０に進み、停止していないと判断したときには浴室乾燥装置が停止するまで監視を行う。
【０１０９】
ステップＳ２２０で、電源部ユニット２Ｃの制御部２Ｂｃは、浴室乾燥運転の停止後から所定時間、例えば１０秒経過したか否かを判断する。所定時間経過したと判断したときにはステップＳ２３０に進み、所定時間経過していないと判断したときには所定時間経過するまで再度カウントを行う。
【０１１０】
ステップＳ２３０で、電源部ユニット２Ｃの制御部２Ｂｃは、浴室空調装置３の運転動作を検出し、ミスト、乾燥、涼風、暖房および換気の何れの運転も停止しているか否かを判断する。なお、２４時間換気運転の場合については除かれる。ミスト運転等が停止されていると判断したときにはステップＳ２４０に進む。一方、ミスト運転等が停止されていない（運転中）であると判断したときにはミスト運転等が停止されるまで監視を行う。
【０１１１】
ステップＳ２４０で電源部ユニット２Ｃの制御部２Ｂｃは、ノズル駆動モータ１００に駆動信号を供給してノズル駆動モータ１００を駆動させ、ミストノズル１１をスイング（回動）運転させる。これにより、ミストノズル１１のスイングと共にルーバ１０６も同一方向にスイングする。
【０１１２】
ステップＳ２５０で電源部ユニット２Ｃの制御部２Ｂｃは、ミストノズル１１のスイング時間が所定時間、例えば１０秒経過したか否かを判断する。所定時間経過したと判断したときにはステップＳ２６０に進み、所定時間経過していないと判断したときには所定時間経過するまで再度カウントを行う。
【０１１３】
ステップＳ２６０で電源部ユニット２Ｃの制御部２Ｂｃは、ノズル駆動モータ１００への駆動信号の供給を停止することで、ミストノズル１１のスイングを停止させて、ノズル固着防止モードの一連の動作が終了する。
【０１１４】
（各運転後に固着防止運転を行う場合）
次に、ミスト運転、乾燥運転、涼風運転、暖房運転および換気運転のそれぞれの運転開始直前に、ミストノズル１１をスイング動作させる場合について説明する。図１７は、湯水噴出空調システム１Ａの動作例を示すフローチャートである。
【０１１５】
まず、ステップＳ３００で、ユーザによって、ミストノズル１１のスイングを開始させる時間が主操作部６から入力されると、電源部ユニット２Ｃの制御部２Ｂｃはその内部にタイマーに入力されたタイマー設定時間を設定（記憶）する（図１３参照）。タイマー設定時間は、主操作部６のアップダウンキー９０によりユーザが任意に設定できる。
【０１１６】
ステップＳ３０５で、電源部ユニット２Ｃの制御部２Ｂｃは、ユーザによって、主操作部６またはミスト操作部５のそれぞれに設けられた運転ボタンが押されたか否かを判断する。運転ボタンとしては、例えばミスト操作部５であればミスト運転選択ボタン７１、暖房運転選択ボタン７２であり、主操作部６であれば乾燥運転選択ボタン８３、涼風運転選択ボタン８４、暖房運転選択ボタン８１または換気運転選択ボタン８２である。何れかの運転ボタンが押されたと判断したときにはステップＳ３１０に進み、何れの運転ボタンも押されていないと判断したときには何れかの運転ボタンが押されるまで待機する。
【０１１７】
ステップＳ３１０で、電源部ユニット２Ｃの制御部２Ｂｃは、何れかの運転ボタンが押下されたときから所定時間、例えば３秒経過したか否かを判断する。所定時間経過したと判断したときにはステップＳ３２０に進み、所定時間経過していないと判断したときには戻り所定時間経過するまでカウントを行う。
【０１１８】
ステップＳ３２０で、電源部ユニット２Ｃの制御部２Ｂｃは、ノズル駆動モータ１００に駆動信号を供給してノズル駆動モータ１００を駆動させ、ミストノズル１１をスイング（回動）運転させる。これにより、ミストノズル１１のスイングと共にルーバ１０６も同一方向にスイングする。
【０１１９】
ステップＳ３３０で電源部ユニット２Ｃの制御部２Ｂｃは、ミストノズル１１のスイング時間が所定時間、例えば１０秒経過したか否かを判断する。所定時間経過したと判断したときにはステップＳ３４０に進み、所定時間経過していないと判断したときには所定時間経過するまで再度カウントを行う。
【０１２０】
ステップＳ３４０で電源部ユニット２Ｃの制御部２Ｂｃは、ノズル駆動モータ１００への駆動信号の供給を停止することで、ミストノズル１１のスイングを停止させて、ノズル固着防止モードの一連の動作が終了する。
【０１２１】
ステップＳ３５０で電源部ユニット２Ｃの制御部２Ｂｃは、ステップＳ３０５でユーザによって押された運転ボタンに対応した運転を開始することで、ノズル固着防止モードの一連の動作が終了する。
【０１２２】
以上説明したように、ミストサウナ装置７に取り付けられたミストノズル１１およびルーバ１０６（ノズルユニット２Ａ）を上述した所定条件下においてスイング動作させることで、ミストノズル１１の回動部の固着防止を図ることができ、ミストＭの噴出方向を自由に調節できる。
【０１２３】
［第２の実施の形態］
以下、本発明の第２の実施の形態につき、図面を参照して説明する。本実施の形態では、ミストノズル１１およびルーバ１０６のそれぞれが独立に可動する点において上述した第１の実施の形態と異なる。なお、その他のミストサウナ装置７の構成は、上述した第１の実施の形態と同一であるため、共通の構成要素には同一の符号を付し、詳細な説明は省略する。
【０１２４】
図１８は、本発明の一実施形態に係る湯水噴出空調システム１Ａの構成を示す図である。図１９は、ノズルユニット２Ａの構成を示す図である。図２０は、ノズルユニット２Ａの構成を示す分解斜視図である。
【０１２５】
ルーバ１０６は、ミストノズル１１の少なくもノズル吹出部１１ｂを浴室１０１側に露出させると共に、ルーバ１０６の湾曲面に沿うようにして回動させるための回動孔１２０を有する。本例では、回動孔１２０はルーバ１０６の長手方向のそれぞれの両端部と中央部との３箇所に形成され、回動孔１２０の短手方向はミストノズル１１の径よりも若干大きく選定され、その長手方向はミストノズル１１の回動範囲の距離（長さ）に応じて設定される。
【０１２６】
ルーバ１０６の長手方向の両端部には、回動軸１２２ａ，１２２ｂが固定して取り付けられる。一方の回動軸１２２ａはフロントパネル２６と本体ケース３４との間に設置されたルーバ駆動モータ１１６に回動可能に接続され、他方の回動軸１２２ｂは本体ケース３４の側壁部３４ａに設けられた軸受け部によって回動可能に軸支される。これにより、ルーバ１０６をミストノズル１１と独立して回動させることができる。
【０１２７】
図２１は、湯水噴出空調システム１Ａの制御系の一例を示す機能ブロック図である
制御部２Ｂｃには、ミストノズル１１を駆動するためのノズル駆動モータ１００が接続される。ノズル駆動モータ１００は、第１の駆動手段の一例であり、第１制御部２Ｂｃから供給される直流電圧（駆動信号）に基づいてミストノズル１１を所定方向に回動させてミストの噴霧方向を制御する。
【０１２８】
また、制御部２Ｂｃには、ルーバを駆動するためのルーバ駆動モータ１１６が接続される。ルーバ駆動モータ１１６は、第２の駆動手段の一例であり、制御部２Ｂｃから供給される直流電圧（駆動信号）に基づいてルーバ１０６を所定方向に回動させてミストＭの噴霧方向および温風ＨＡの風向を制御する。
【０１２９】
このように、本実施の形態では、ルーバ１０６およびミストノズル１１のそれぞれが独立して相対的に回動可能なように構成される。例えば、ルーバ１０６またはミストノズル１１のみを回動させることもできるし、双方を同時に回動させることもできる。そのため、ミストノズル１１とルーバ１０６（羽板）の向きを同一方向に設定することで、ミストノズル１１の噴出方向とルーバ１０６から吹き出される温風ＨＡの風向とを同一方向にでき、ミストＭの噴出方向を正確に制御できる。
【０１３０】
［第３の実施の形態］
以下、本発明の第３の実施の形態につき、図面を参照して説明する。本実施の形態では、ミストノズル１１とルーバ１０６とを有するノズルユニット２Ａが浴室空調装置３とは独立して浴室１０１の天井面に取り付けられる点において上述した第１および第２の実施の形態と異なる。なお、その他の湯水噴出空調システム１Ａの構成は、上述した第１および第２の実施の形態と同一であるため、共通の構成要素には同一の符号を付し、詳細な説明は省略する。また、ノズルユニット２Ａは、ミストノズル１１とルーバ１０６とが一体化された構成、あるいは独立した構成の何れの構成を採用しても良い。
【０１３１】
図２２は、本発明の一実施形態に係る湯水噴出空調システム１Ａの構成を示す図である。この湯水噴出空調システム１Ａは、ミストサウナ装置７と図示しない給湯装置４とを備えている。
【０１３２】
ミストサウナ装置７は、浴室１０１内に噴出するミスト発生装置２と、浴室１０１の暖房、換気等を行う浴室空調装置３とを有する。ミスト発生装置２および浴室空調装置３のそれぞれは浴室１０１の天井に配設される。
【０１３３】
浴室空調装置３は、吹出口４１から吸い込んだ浴室１０１内の空気をノズルユニット２Ａに温風ＨＡとして供給するためのファン部３２と、ヒータ部３３とを少なくとも有している。
【０１３４】
ミスト発生装置２を構成するノズルユニット２Ａは、上述した第１および第２の実施の形態では浴室空調装置３に内蔵されていたが、本例ではノズルユニット２Ａが浴室空調装置３と離間した、電磁弁ユニット２Ｂと浴室空調装置３との間に配設される。また、ノズルユニット２Ａは、筐体の内部に収容された一体化あるいは独立して構成されたミストノズル１１およびルーバ１０６等を有している。ミストノズル１１には図示しない供給配管１２を介してノズル配管１５ｂが接続されている。
【０１３５】
浴室空調装置３とノズルユニット２Ａとは、ダクト管２２を介して連結されており、浴室空調装置３からの温風ＨＡがダクト管２２を経由してノズルユニット２Ａに供給される。ノズルユニット２Ａでは、ダンパ５２が実線位置に切り換えられると、浴室空調装置３からの温風ＨＡが図示しないルーバを介して浴室１０１に供給され、ダンパ５２が波線位置に切り換えられると、浴室１０１の空気がダクト９を介して外部に排気される。ダンパ５２は、電源部ユニット２Ｃの制御部２Ｂｃによって制御される。
【０１３６】
次に、湯水噴出空調システム１Ａの動作について説明する。
ミスト運転モードでは、浴室空調装置３の吸込口３８からファン部３２により吸い込まれた浴室１０１の空気が、ヒータ部３３によって加熱され、温風ＨＡとしてダクト管２２を経由してノズルユニット２Ａに供給される。ノズルユニット２Ａでは、浴室空調装置３から供給された温風ＨＡをルーバ１０６から浴室１０１に吹き出すと共に、図示しない給湯装置４（図１参照）から電磁弁ユニット２Ｂを介して供給された温水をミストノズル１１から浴室１０１にミストＭとして噴出する。ユーザは、ミスト操作部５でノズル／ルーバボタン７３を押すことにより（図１１参照）、ミストノズル１１の噴出方向やルーバ１０６からの吹き出し方向を制御できる。このようにして、浴室１０１の加湿暖房が行われる。
【図面の簡単な説明】
【０１３７】
【図１】本発明の一実施形態に係る湯水噴出空調システムの構成を示す図である。
【図２】ミストサウナ装置の構成を示す断面図である。
【図３】ミストサウナ装置の構成を示す側断面図である。
【図４】ミストサウナ装置の構成を示す分解斜視図である。
【図５】ノズルユニットの構成を示す図である。
【図６】ノズルユニットの構成を示す分解斜視図である。
【図７】ノズルユニットの動作を示す図である。
【図８】電磁弁ユニットの構成を示す図である。
【図９】電磁弁ユニットの動作を示す図である（その１）。
【図１０】電磁弁ユニットの動作を示す図である（その２）。
【図１１】ミスト操作部の構成を示す図である。
【図１２】主操作部の一例を示す構成図である。
【図１３】湯水噴出空調システムの制御系の一例を示す機能ブロック図である。
【図１４】湯水噴出空調システムの動作例を示すフローチャートである（その１）。
【図１５】湯水噴出空調システムの動作例を示すフローチャートである（その２）。
【図１６】湯水噴出空調システムの動作例を示すフローチャートである（その２）。
【図１７】湯水噴出空調システムの動作例を示すフローチャートである（その２）。
【図１８】本発明の他の実施形態に係る湯水噴出空調システムの構成を示す図である。
【図１９】ノズルユニットの構成を示す図である。
【図２０】ノズルユニットの構成を示す分解斜視図である。
【図２１】湯水噴出空調システムの制御系の一例を示す機能ブロック図である。
【図２２】本発明の他の実施形態に係る湯水噴出空調システムの構成を示す図である。
【符号の説明】
【０１３８】
１Ａ…湯水噴出空調システム、  ２…ミスト発生装置、  ２Ａ…ノズルユニット、  ２Ｂ…電磁弁ユニット、  ２Ｃ…電源部ユニット、  ３…浴室空調装置、  ５…ミスト操作部、  ６…主操作部、  ７…ミストサウナ装置、  ８…制御部、  Ｍ…ミスト、  １１…ミストノズル、  １５ａ…給水配管、  １７…供給配管、  １９ａ，１９ｂ，１９ｃ…電磁弁、  ４１…吹出口、  ＨＡ…温風、  １０１…浴室、  １００…ノズル駆動モータ、  １０２…第１のギア、  １０３…第２のギア、  １０６…ルーバ、  １０８…ノズル収容部、  １１０…固定部材、  １１２…開口部、  １１３…ルーバ本体、  １１４…羽板、  １１６…ルーバ駆動モータ
【図１】
0005251012.tif 000002
【図２】
0005251012.tif 000003
【図３】
0005251012.tif 000004
【図４】
0005251012.tif 000005
【図５】
0005251012.tif 000006
【図６】
0005251012.tif 000007
【図７】
0005251012.tif 000008
【図８】
0005251012.tif 000009
【図９】
0005251012.tif 000010
【図１０】
0005251012.tif 000011
【図１１】
0005251012.tif 000012
【図１２】
0005251012.tif 000013
【図１３】
0005251012.tif 000014
【図１４】
0005251012.tif 000015
【図１５】
0005251012.tif 000016
【図１６】
0005251012.tif 000017
【図１７】
0005251012.tif 000018
【図１８】
0005251012.tif 000019
【図１９】
0005251012.tif 000020
【図２０】
0005251012.tif 000021
【図２１】
0005251012.tif 000022
【図２２】
0005251012.tif 000023